(57)【要約】【課題】棚板の取付や付け替え作業時における取り扱いが容易な棚板取付装置を提供する。【解決手段】棚板に取り付けられ、棚本体の側板に突設されている棚ダボを上下方向に嵌脱自在に受け入れる棚ダボ受け部材１０と、棚ダボ受け部材１０と棚ダボ２が嵌脱する方向に回動可能に連結されて一体化したロックレバー２０と、を有する。棚ダボ受け部材１０は、棚ダボ２を嵌脱自在に挟持する一対の挟持片１１Ａ、１１Ｂを有する。ロックレバー２０は、棚ダボ受け部材１０の下端部にて起倒操作される操作部２１と、両挟持片１１Ａ、１１Ｂの両外側に出没する一対のロック片２２Ａ、２２Ｂと、を有する。ロックレバー２０の操作部２１が倒れているときにロック片２２Ａ、２２Ｂが挟持片１１Ａ、１１Ｂの両外側に位置し、挟持片１１Ａ、１１Ｂの開きを阻止する。これにより、棚ダボ２が上下方向に離脱不能に保持される。【選択図】図１
2010000247.tif 000002
【特許請求の範囲】
【請求項１】
棚本体の左右の側板の内側面の前後に内側に向けて各々突設されている棚ダボ（２）に、棚板をその下面部の左右前後に形成されたダボ受け溝を嵌合させて載せることにより、左右の側板間に棚板を架設できるように構成した棚板取付装置（１）であって、
前記ダボ受け溝に嵌め込んだ状態で前記棚板に固定され、前記側板に突設されている前記棚ダボ（２）を上下方向に嵌脱自在に受け入れる棚ダボ受け部材（１０）と、
前記棚ダボ受け部材（１０）と前記棚ダボ（２）が嵌脱する方向に回動可能に連結されて一体化したロックレバー（２０）と、
前記ロックレバー（２０）をこれが前記棚ダボ受け部材（１０）からの前記棚ダボ（２）の離脱を阻止する姿勢になるように常時付勢している付勢機構（３０）と、を有し、
前記棚ダボ受け部材（１０）は、
前記棚ダボ（２）を嵌脱自在に挟持する前後一対の挟持片（１１Ａ、１１Ｂ）を有し、
前記ロックレバー（２０）は、
これを手動で回動操作するべく前記棚ダボ受け部材（１０）の下端部（１０ｃ）にて起倒操作される操作部（２１）と、
当該回動操作に伴って前記一対の挟持片（１１Ａ、１１Ｂ）の両外側に出没する前後一対のロック片（２２Ａ、２２Ｂ）と、を有し、
前記ロックレバー（２０）の前記操作部（２１）が倒れているときに、前記一対のロック片（２２Ａ、２２Ｂ）が前記一対の挟持片（１１Ａ、１１Ｂ）の両外側に位置して前記一対の挟持片（１１Ａ、１１Ｂ）の開きを阻止し、これにより、前記棚ダボ（２）が上下方向に離脱不能に保持されるように構成した、棚板取付装置。
【請求項２】
前記操作部（２１）が倒れている状態で棚板を前記棚ダボ（２）に載せたときに前記棚ダボ（２）の先端部が当接する当接部（２２ｃ）を前記一対のロック片（２２Ａ、２２Ｂ）の間に設け、前記棚ダボ（２）が当該当接部（２２ｃ）に当接することにより、前記操作部（２１）が起きる向きに前記ロックレバー（２０）が回動するように構成した、請求項１の棚板取付装置。
【発明の詳細な説明】
【技術分野】
【０００１】
本発明は、棚本体の左右の側板の内側面の前後に内側に向けて各々突設された棚ダボに棚板の下面の左右前後に形成された凹部を嵌合させることにより、左右の側板間に棚板を架設できるようにした棚板取付装置に関する。
【背景技術】
【０００２】
本棚、食器棚等においては、棚ダボと呼ばれる棒状あるいはピン状の支持具を左右の側板の穴に差し込んで内方に突出させ、その上に棚板を載せるようになっている。そして、かかる棚ダボを高さ位置の異なる別の穴に差し替えることによって、棚板の取付け位置を容易に変更できるようになっている。棚板の裏面の前後左右には凹部が形成されており、各凹部に棚ダボを嵌合させることにより、棚板のずれを防止している。
【０００３】
しかし、棚板の凹部と棚ダボとが単に嵌合しているのみでは、棚板が上下方向にぐらつくことがある。
【０００４】
そこで、棚板のぐらつきや棚ダボからの外れを防止する機構を備えた棚板取付装置が提案された。この種の棚板取付装置は、凹部に嵌め込んで棚板に固定される棚ダボ受け部材と、棚ダボ受け部材の下部開口部に嵌合させて取り付けられる蓋部材（係止部材）とを備えている。そして、棚ダボ受け部材を棚ダボに嵌合させた後、蓋部材を棚ダボ受け部材に取り付けることにより、棚ダボ受け部材内における棚ダボのがたつきや棚ダボからの棚ダボ受け部材の外れを蓋部材によって防止している。（特許文献１）
【特許文献１】特開２００６−１３０１７９号公報
【発明の開示】
【発明が解決しようとする課題】
【０００５】
しかし、従来の棚板取付装置は、蓋部材と棚ダボ受け部材とが互いに分離可能な別物品であるため、棚板の取付や付け替え作業時に、両者がばらばらになって取り扱いが煩雑であるし、棚ダボ受け部材から取り外した蓋部材を紛失してしまうことも少なくない。
【０００６】
本発明が解決しようとする課題は、棚板の取付や付け替え作業時における取り扱いが容易であり、取り付けた棚板をぐらつきのない安定した状態に保つことができる棚板取付装置を提供することにある。
【課題を解決するための手段】
【０００７】
上記課題を解決するために、本発明の棚板取付装置は、棚本体の左右の側板の内側面の前後に内側に向けて各々突設されている棚ダボに棚板の下面部の左右前後に形成されたダボ受け溝を嵌合させることにより、左右の側板間に棚板を架設できるように構成した棚板取付装置であって、
前記ダボ受け溝に嵌め込んだ状態で前記棚板に固定され、前記側板に突設されている前記棚ダボを上下方向に嵌脱自在に受け入れる棚ダボ受け部材と、
前記棚ダボ受け部材と前記棚ダボが嵌脱する方向に回動可能に連結されて一体化したロックレバーと、
前記ロックレバーをこれが前記棚ダボ受け部材からの前記棚ダボの離脱を阻止する姿勢になるように常時付勢している付勢機構と、を有し、
前記棚ダボ受け部材は、
前記棚ダボを嵌脱自在に挟持する前後一対の挟持片を有し、
前記ロックレバーは、
これを手動で回動操作するべく前記棚ダボ受け部材の下端部にて起倒操作される操作部と、
当該回動操作に伴って前記一対の挟持片の両外側に出没する前後一対のロック片と、を有し、
前記ロックレバーの前記操作部が倒れているときに、前記一対のロック片が前記一対の挟持片の両外側に位置して前記一対の挟持片の開きを阻止し、これにより前記棚ダボが上下方向に離脱不能に保持されるように構成したことを特徴としている。
【０００８】
上記のように構成された棚板取付装置は、棚板の下面部の前後左右に形成された各ダボ受け溝に嵌合させて取り付けられる。そして、棚板に取り付けられている棚板取付装置を、棚本体の左右の側板の内側面の前後に内側に向けて各々突設されている棚ダボに載せて、棚板取付装置と棚ダボとを互いに嵌合させることにより、左右の側板間に棚板が架設される。その際、棚ダボ受け部材内の前後一対の挟持片に棚ダボが狭持され、その後、付勢機構の作用により、ロックレバーが棚ダボ受け部材からの棚ダボの離脱を阻止する姿勢になる。すなわち、ロックレバーの操作部が倒れる。これにより、ロックレバーの前後一対のロック片が両挟持片の両外側に移動し、棚ダボを狭持している両挟持片の開きを阻止する。その結果、棚板を支承している棚ダボが棚板取付装置によって上下方向に離脱不能に保持され、棚板がぐらつきのない安定した状態に保たれる。棚板を取り外す際には、その棚板に装着されている棚板取付装置のロックレバーの操作部を起こして、両ロック片を両挟持片の両外側から待避させる。これにより、棚ダボを狭持している両挟持片の開きが許容された状態、すなわち両挟持片からの棚ダボの離脱が許容された状態になる。その後、その棚板を持ち上げれば、棚板を簡単に取り外すことができる。この棚板取付装置は、その棚ダボ受け部材とロックレバーとが互いに回動自在に連結されて一体化しているので、棚板の取付や付け替え作業時に両者がばらばらになることがなく、取り扱いが容易である。
【０００９】
本発明の棚板取付装置において、前記一対のロック片の間に、前記操作部が倒れている状態で棚板を前記棚ダボに載せたときに前記棚ダボの先端が当接する当接部を設け、前記棚ダボが当該当接部に当接することにより、前記操作部が起きる向きに前記ロックレバーが回動するように構成されていることが望ましい。
【００１０】
上記のように構成された棚板取付装置によれば、棚板を前記棚ダボに載せる際に前記操作部が倒れた状態になっていても、前記ロックレバーが前記棚ダボに押されて前記操作部が起きる向きに回動し、棚ダボが棚ダボ受け部材に受け入れられる。その後、ロックレバーの操作部が倒れることにより、棚ダボが棚板取付装置によって上下方向に離脱不能に保持され、棚板がぐらつきのない安定した状態に保たれる。
【発明の効果】
【００１１】
本発明の棚板取付装置は、その棚ダボ受け部材とロックレバーとが互いに連結されて一体化しているので、棚板の取付や付け替え作業時における取り扱いが容易であり、取り付けた棚板をぐらつきのない安定した状態に保つことができる。
【発明を実施するための最良の形態】
【００１２】
以下、本発明の実施形態について図面を参照して説明する。
【００１３】
図１〜図３は本発明に係る棚板取付装置を棚ダボと共に示した斜視図である。図４及び図７は本発明に係る棚板取付装置を棚ダボと共に示した下面図である。図５は図４のＡ−Ａ断面図、図６は図４のＢ−Ｂ断面図である。図８は図７のＣ−Ｃ断面図、図９は図７のＤ−Ｄ断面図である。
【００１４】
棚板取付装置１は、棚本体（図示省略）の左右の側板の内側面の前後に内側に向けて各々突設されている棚ダボ２に、棚板をその下面部の左右前後に形成されたダボ受け溝を嵌合させて載せることにより、左右の側板間に棚板を架設するものである。
【００１５】
棚板取付装置１は、図１０に示す棚ダボ受け部材１０と図１１に示すロックレバー２０とを有している。棚ダボ受け部材１０とロックレバー２０は、同質の合成樹脂成型品である。
【００１６】
棚ダボ受け部材１０は、ダボ受け溝に嵌め込んだ状態で棚板に固定される部材である。棚ダボ受け部材１０は、天板部１１ａを有し下端に棚ダボ２の出入口となる矩形状の開口部１１ｃを有する略円柱状の受け部材本体１１を有している。受け部材本体１１は、ダボ受け溝内に圧入して棚板内に埋設固定できるようにその外側の形状及び寸法が選定されている。受け部材本体１１の側壁には、棚ダボ２を受け入れるための切欠部１１ｂが下端の開口部１１ｃと連通させて逆Ｕ字状に形成されている。棚ダボ受け部材１０は、この開口部１１ｃを、棚本体の側板に臨ませて棚板に固定される。
【００１７】
棚ダボ受け部材１０の内部には、棚ダボ２を受け入れるべく、切欠部１１ｂ及び開口部１１ｃと連通した略矩形状の空間１１ｓが形成され、その空間１１ｓ内に、棚ダボ２を嵌脱自在に挟持する前後一対の挟持片１１Ａ、１１Ｂが設けられている。両挟持片１１Ａ、１１Ｂは、天板部１１ａの下面に突設されている。両挟持片１１Ａ、１１Ｂの又部の内面１１ｄは、棚ダボ２の外周形状及び寸法に一致させて、略円弧状（下方に開口した略Ｃ字形状）に形成されており、この略円弧状の部分（以下、「チャック部」と記す。）１１ｅに棚ダボ２が嵌るようになっている。両挟持片１１Ａ、１１Ｂの下部には、突端１１ｆからチャック部１１ｅの近傍にかけて、互いに対称に傾斜面１１ｇが形成されている。両傾斜面１１ｇは、下向きに拡開しており、棚ダボ２をチャック部１１ｅに受け入れる際の案内面になる。両挟持片１１Ａ、１１Ｂと棚ダボ受け部材１０の前後の側壁１０ａ、１０ｂとの間には隙間１２ａ、１２ｂが設けられている。両挟持片１１Ａ、１１Ｂは、両者の突端１１ｆ同士の間隔が拡縮する方向に弾性変形可能である。棚ダボ受け部材１０の前後の側壁１０ａ、１０ｂの下端近傍には、ロックレバー２０を回動可能に連結するための軸孔１０ｄ、１０ｅが設けられている。
【００１８】
ロックレバー２０の前後両側には、回動軸部２２ａ、２２ｂ（２２ｂは図には表れていない。）が互いに同軸的に突設されており、両回動軸部２２ａ、２２ｂが棚ダボ受け部材１０の両軸孔１０ｄ、１０ｅと嵌合することにより、棚ダボ受け部材１０とロックレバー２０とが互いに上下方向（棚ダボ受け部材１０と棚ダボ２とが互いに嵌脱する方向）に回動可能に連結された状態で一体化している。ロックレバー２０は、これを手動で回動操作するべく棚ダボ受け部材１０の下端部１０ｃにて起倒操作される半月板状の操作部２１と、当該回動操作に伴って一対の挟持片１１Ａ、１１Ｂの前後両外側に出没する前後一対のロック片２２Ａ、２２Ｂと、を有している。各ロック片２２Ａ、２２Ｂの厚さ寸法は、各隙間１２ａ、１２ｂの間隔と同じかそれよりも若干小さめ目に選定されている。操作部２１は、これが倒れた状態（図１及び図３の状態）のとき、その円弧状の外縁部２１ａが棚ダボ受け部材１０の下端部外縁から若干突出するように、その寸法及び形状が選定されている。
【００１９】
受け部材本体１１の側壁の開口部１１ｃと対向する位置には、付勢機構３０の一部を構成する板ばね部３１が形成されている。板ばね部３１は、受け部材本体１１の側壁内面から内向き斜め下方に突出しており、上下方向に弾性変形する。一方、ロックレバー２０には、付勢機構３０の一部を構成する係合部３２が形成されている。そして、ロックレバー２０は、係合部３２が板ばね部３１と係合することにより、操作部２１が倒れる向き（図８中の矢印Ａの向き）に常時付勢されている。
【００２０】
ロックレバー２０は、両回動軸部２２ａ、２２ｂを支点にして上下に回動する。そして、操作部２１が倒れたときに前後のロック片２２Ａ、２２Ｂが、棚ダボ受け部材１０の両挟持片１１Ａ、１１Ｂと側壁１０ａ、１０ｂとの間の隙間１２ａ、１２ｂに入り、両ロック片２２Ａ、２２Ｂによって両挟持片１１Ａ、１１Ｂの開きが阻止されるようになっている。ロックレバー２０は、付勢機構３０の作用により、その操作部２１が倒れた状態すなわちロック状態（図１の状態）に保たれる。両ロック片２２Ａ、２２Ｂの間には、操作部２１が倒れた状態で棚板を棚ダボ２に載せたときに棚ダボ２の先端が当接する当接部２２ｃが設けられている。そして、棚ダボ２が当接部２２ｃに当接することにより、その力で両隙間１２ａ、１２ｂに対する両ロック片２２Ａ、２２Ｂの嵌合が解除され、ロックレバー２０がその操作部２１が起き上がる向きに回動するように構成されている。すなわち、この棚板取付装置１は、ロック状態のまま棚板を棚ダボ２に載せた場合でも、ロックレバー２０が棚ダボ２に押されて回動することにより自動的にロック解除状態（図２の状態）になるように構成されている。
【００２１】
上記のように構成された棚板取付装置１は、棚板の下面部の前後左右四カ所に形成された各ダボ受け溝に嵌合させて取り付けられる。そして、棚板に取り付けられている棚板取付装置１を、棚本体の左右の側板の内側面の前後に内側に向けて各々突設されている棚ダボ２に載せて、棚板取付装置１と棚ダボ２とを各々互いに嵌合させることにより、左右の側板間に棚板が架設される。
【００２２】
棚板を棚ダボ２に載せる際、棚板取付装置１がロック状態になっていても、ロックレバー２０が棚ダボ２に押されて回動し、ロック解除状態（図２の状態）になり、棚ダボ受け部材１０内の両挟持片１１Ａ、１１Ｂに棚ダボ２が狭持される。その後、付勢機構の作用により、ロックレバー２０が棚ダボ受け部材１０からの棚ダボの離脱を阻止する姿勢になる。すなわち、ロックレバー２０の操作部が倒れる。これにより、ロックレバー２０の両ロック片２２Ａ、２２Ｂが両挟持片１１Ａ、１１Ｂの両外側に移動し、棚ダボ２を狭持している両挟持片１１Ａ、１１Ｂの開きを阻止する。その結果、棚板を支承している棚ダボ２が棚板取付装置１によって上下方向に離脱不能に保持され、棚板がぐらつきのない安定した状態に保たれる。
【００２３】
棚板を取り外す際には、その棚板に装着されている各棚板取付装置１のロックレバー２０の操作部２１を起こして、棚板取付装置１をロック解除状態にする。その後、その棚板を持ち上げれば、棚板を簡単に取り外すことができる。
【００２４】
上記のように、この棚板取付装置１は、その棚ダボ受け部材１０とロックレバー２０とが互いに回動自在に連結されて一体化しているので、棚板の取付や付け替え作業時に両者がばらばらになることがなく、取り扱いが容易である。
【図面の簡単な説明】
【００２５】
【図１】本発明に係る棚板取付装置を棚ダボと共に示した斜視図
【図２】本発明に係る棚板取付装置を棚ダボと共に示した斜視図
【図３】本発明に係る棚板取付装置を棚ダボと共に示した斜視図
【図４】本発明に係る棚板取付装置を棚ダボと共に示した下面図
【図５】図４のＡ−Ａ断面図
【図６】図４のＢ−Ｂ断面図
【図７】本発明に係る棚板取付装置を棚ダボと共に示した下面図
【図８】図７のＣ−Ｃ断面図
【図９】図７のＤ−Ｄ断面図
【図１０】棚ダボ受け部材の斜視図
【図１１】ロックレバーの斜視図
【符号の説明】
【００２６】
１  棚板取付装置
２  棚ダボ
１０  棚ダボ受け部材
１１  受け部材本体
１１Ａ、１１Ｂ  挟持片
１１ｃ  開口部
１１ｅ  チャック部
１２ａ、１２ｂ  隙間
２０  ロックレバー
２１  操作部
２２Ａ、２２Ｂ  ロック片
２２ｃ  当接部
３０  付勢機構
【図１】
2010000247.tif 000003
【図２】
2010000247.tif 000004
【図３】
2010000247.tif 000005
【図４】
2010000247.tif 000006
【図５】
2010000247.tif 000007
【図６】
2010000247.tif 000008
【図７】
2010000247.tif 000009
【図８】
2010000247.tif 000010
【図９】
2010000247.tif 000011
【図１０】
2010000247.tif 000012
【図１１】
2010000247.tif 000013